(57)【要約】【課題】引張荷重を容易かつ確実に吸収することができる緩衝部材を提供することにある。【解決手段】網目が菱形になるように編まれた、ジグザグに折り曲げられた複数本の線材１からなる菱形金網２を、線材１の波付け方向の交差部３を結ぶ軸線４と直交する方向に沿ってループ状に折り曲げ、軸線４の方向に引張荷重がかかるように構成されている。【選択図】図１
2019035301.tif 000002
【特許請求の範囲】
【請求項１】
網目が菱形になるように編まれた、ジグザグに折り曲げられた複数本の線材からなる菱形金網を、前記線材の波付け方向の交差部を結ぶ軸線と直交する方向に沿ってループ状に折り曲げ、前記軸線の方向に引張荷重がかかるように構成されていることを特徴とする緩衝部材。
【請求項２】
前記菱形金網は、前記交差部を結ぶ軸線と直交する方向に沿って円筒形状に折り曲げられていることを特徴とする、請求項１に記載の緩衝部材。
【請求項３】
前記菱形金網は、同心円状に配されていることを特徴とする、請求項２に記載の緩衝部材。
【発明の詳細な説明】
【技術分野】
【０００１】
この発明は、緩衝部材、特に、引張荷重を容易かつ確実に吸収することができる緩衝部材に関するものである。
【背景技術】
【０００２】
例えば、道路等への落石を防止するために、斜面に落石防護柵を設置することは一般的に行われている。
【０００３】
落石防護柵の一例を、図面を参照しながら説明する。以下、この落石防護柵を従来落石防護柵という。
【０００４】
図６は、従来落石防護柵を示す概略斜視図である。
【０００５】
図６において、１１は、斜面１２に所定間隔をあけて構築された支柱、１３は、支柱１１の上端部と山側（Ｍ）の斜面１２との間に張られた山側ワイヤ、１４は、支柱１１の上端部と谷側（Ｖ）の斜面１２との間に張られた谷側ワイヤ、１５は、支柱１１間に張られた、落石を受け止める金網である。
【０００６】
上述した従来落石防護柵によれば、落石は、金網１５により受け止められる結果、石が道路等に落下することを防止することができる。この際、支柱１１は、山側ワイヤ１３により引っ張られているので、支柱１１が谷側（Ｖ）に倒れるおそれはない。
【０００７】
また、斜面１２からの落石が金網１５に衝突すると、山側ワイヤ１３に引張力が作用し、その反動で支柱１１には、支柱１１が山側（Ｍ）に倒れ込む力が作用するが、支柱１１は、谷側ワイヤ１４により引っ張られているので、支柱１１が山側（Ｍ）に倒れ込むおそれはない。
【発明の概要】
【発明が解決しようとする課題】
【０００８】
上記従来落石防護柵によれば、支柱１１間に張られている金網１５によって落石を受け止めることができるが、山側ワイヤ１３は、斜面１２と支柱１１との間に伸び代なく張り渡されているので、落石の衝撃力は、ダイレクトに金網１５にかかる。この結果、金網１５の目が大きく広がったり、金網１５が破れたりすることがあった。
【０００９】
このように、最初の落石により金網１５の目が大きく広がったり、金網１５が破れたりすると、続いて起こる落石に対応することができないといった問題があった。
【００１０】
そこで、本願発明者等は、落石の衝撃力により金網１５の目が大きく広がったり、金網１５が破れたりすることを容易かつ確実に抑制することができる手段を得るべく、鋭意、検討を重ねた。
【００１１】
この結果、山側ワイヤ１３に山側ワイヤ１３の引張荷重を吸収することができる緩衝部材を取り付ければ、金網１５にかかる落石の衝撃力を弱めることできるといった知見を得た。
【００１２】
そして、さらに検討を重ねた結果、山側ワイヤ１３の引張荷重を吸収することができる緩衝部材として、円筒形状の菱形金網を使用すれば、山側ワイヤ１３の引張荷重を容易かつ確実に吸収することができるといった知見を得た。
【課題を解決するための手段】
【００１３】
この発明は、上記知見に基づきなされたものであり、下記を特徴とするものである。
【００１４】
請求項１に記載の発明は、網目が菱形になるように編まれた、ジグザグに折り曲げられた複数本の線材からなる菱形金網を、前記線材の波付け方向の交差部を結ぶ軸線と直交する方向に沿ってループ状に折り曲げ、前記軸線の方向に引張荷重がかかるように構成されていることに特徴を有するものである。
【００１５】
請求項２に記載の発明は、請求項１に記載の発明において、前記菱形金網は、前記交差部を結ぶ軸線と直交する方向に沿って円筒形状に折り曲げられていることに特徴を有するものである。
【００１６】
請求項３に記載の発明は、請求項２に記載の発明において、前記菱形金網は、同心円状に配されていることに特徴を有するものである。
【発明の効果】
【００１７】
この発明によれば、網目が菱形になるように編まれた、ジグザグに折り曲げられた複数本の線材からなる菱形金網を、前記線材の波付け方向の交差部を結ぶ軸線と直交する方向に沿ってループ状に折り曲げることによって、前記軸線の方向に引張荷重がかかった場合、隣接する前記線材の交差部間に引張力が作用する結果、引張荷重を容易かつ確実に吸収することができる。
【図面の簡単な説明】
【００１８】
【図１】この発明の緩衝部材を示す部分斜視図である。
【図２】図１の固定部材部分の拡大図である。
【図３】図１の菱形金網部分の拡大図である。
【図４】この発明の緩衝部材の別の例を示す斜視図である。
【図５】この発明の緩衝部材を取り付けた従来落石防護柵を示す斜視図である。
【図６】落石防護柵を示す斜視図である。
【発明を実施するための形態】
【００１９】
この発明の緩衝部材の一実施態様を、図面を参照しながら説明する。
【００２０】
図１は、この発明の緩衝部材を示す部分斜視図、図２は、図１の固定部材部分の拡大図、図３は、図１の菱形金網部分の拡大図である。
【００２１】
図１から図３に示すように、この発明の緩衝部材は、網目が菱形になるように編まれた、ジグザグに折り曲げられた複数本の線材１からなる菱形金網２を、線材１の波付け方向の交差部３を結ぶ軸線４と直交する方向に沿って円筒形状に折り曲げたものから構成されている。線材１の波付け方向を、図３中、Ａで示す。
【００２２】
上述した、この発明の緩衝部材によれば、軸線４の方向に引張荷重がかかった場合、隣接する線材１の交差部３間に引張力が作用する。この結果、この発明の緩衝部材を、例えば、図５に示すように、上述した従来落石防護柵の山側ワイヤ１３の途中に固定部材５を介して取り付ければ、落石の衝撃力により山側ワイヤ１３にかかる引張荷重は、この発明の緩衝部材によって確実に吸収されて、軽減される。
【００２３】
固定部材５は、図１および図２に示すように、円筒形状に折り曲げられた菱形金網２の端部に挿入されたパイプ６と、菱形金網２の端部から２目以上離れた全ての交差部３の位置のパイプ６に形成されたタップ７と、タップ７の周囲に沿って配される、開口９が形成されたリング８と、リング８の開口９を通してタップ７にねじ込まれるボルト１０とからなっている。なお、パイプ６は、中実の棒状体であってもよい。
【００２４】
上記固定構造は、菱形金網２の端部をパイプ６に固定する構造であればよいので、例えば、パイプ６の外面に交差部３に係合する突起を形成したものであってもよい。図１に示す例は、上記固定構造を１段設けたものであるが、複数段設けても良い。
【００２５】
なお、リング８は、半割に形成され、ボルト（図示せず）によりリング状に連結される。また、リング８は、菱形金網２の目を通してもよい。
【００２６】
このように構成される固定部材５によれば、リング８をタップ７の周囲に沿って配し、ボルト１０をリング８の開口９を通してタップ７にねじ込んで、リング８を固定することにより、円筒形状に折り曲げられた菱形金網２は、固定部材５に固定される。
【００２７】
これによって、金網１５にかかる落石の衝撃力は、菱形金網２に吸収されて弱まる結果、落石の衝撃力により金網１５の目が大きく広がったり、金網１５が破れたりすることを容易かつ確実に抑制することができる。
【００２８】
なお、緩衝効果をさらに高くする必要がある場合には、図４に示すように、複数個（この例では、２個）の菱形金網２を同心円状に配すればよい。この場合、菱形金網２のループ形状は、円筒形状に限定されない。さらに、緩衝効果は、線材１の材質を変えることによっても調整することができる。
【００２９】
以上説明したように、この発明によれば、網目が菱形になるように編まれた、ジグザグに折り曲げられた複数本の線材１からなる菱形金網２を、線材１の波付け方向の交差部３を結ぶ軸線４と直交する方向に沿ってループ状に折り曲げることにより、軸線４の方向に引張荷重がかかった場合、隣接する線材１の交差部３間に引張力が作用する。
【００３０】
この結果、この発明の緩衝部材を、例えば、上述した従来落石防護柵の山側ワイヤ１３の途中に取り付けることによって、金網１５にかかる落石の衝撃力を弱めることできるので、落石の衝撃力により金網１５の目が大きく広がったり、金網１５が破れたりすることを容易かつ確実に抑制することができる。
【００３１】
なお、菱形金網２の形状は、ループ状であれば、円筒形状に限定されず、四角筒状や楕円筒形状等であってもよい。
【符号の説明】
【００３２】
１：線材
２：菱形金網
３：交差部
４：軸線
５：固定部材
６：パイプ
７：タップ
８：リング
９：開口
１０：ボルト
１１：支柱
１２：斜面
１３：山側ワイヤ
１４：谷側ワイヤ
１５：金網
【図１】
2019035301.tif 000003
【図２】
2019035301.tif 000004
【図３】
2019035301.tif 000005
【図４】
2019035301.tif 000006
【図５】
2019035301.tif 000007
【図６】
2019035301.tif 000008